(57)【要約】      （修正有）【課題】簡易な構成で場所を取らず、立てた状態でも消しゴム等の小さい物品を容易に取り出すことができるスタンドペンケースを提供する。【解決手段】筒形のペンケースであり、上部が開口する円筒形状の本体１と、下部が開口する円筒形状で本体１の開口部を覆う蓋部２と、本体１と蓋部２の開口部同士を開閉可能に接続する第１のファスナー３と、第１のファスナー３の両端部を固定すると共に、本体１と蓋部２とを接続する接続部４と、本体１の側面において、接続部４の下側で、垂直方向に開閉する第２のファスナー５とを備えている。【選択図】図２
0003230282.tif 000002
【実用新案登録請求の範囲】
【請求項１】
筒型のスタンドペンケースであって、
底面と、上部が開口する開口部とを有する円筒形の本体と、
前記本体の開口部を覆い、前記開口部と同じ形状の開口部を下部に有する蓋部と、
前記本体の開口部と前記蓋部の開口部を開閉する第１のファスナーと、
前記第１のファスナーの端部を固定すると共に前記本体と前記蓋部を接続する接続部と、
前記本体の側面で、前記接続部の下側に垂直方向に開閉する第２のファスナーとを備えることを特徴とするスタンドペンケース。
【請求項２】
接続部が、第１のファスナーの両端部と、第２のファスナーの一端とを固定することを特徴とする請求項１記載のスタンドペンケース。
【請求項３】
第２のファスナーが、上から下に向かって開く構成であることを特徴とする請求項１又は２記載のスタンドペンケース。
【請求項４】
第２のファスナーが、下から上に向かって開く構成であることを特徴とする請求項１又は２記載のスタンドペンケース。
【請求項５】
接続部は、蓋部が、閉じた状態から９０度以上開く幅に形成されていることを特徴とする請求項１乃至４のいずれか記載のスタンドペンケース。
【考案の詳細な説明】
【技術分野】
【０００１】
本考案は、立てて使用できるスタンドペンケースに係り、特に、簡易な構成で場所を取らず、立てた状態でも消しゴム等の小さい物品を容易に取り出すことができるスタンドペンケースに関する。
【背景技術】
【０００２】
［先行技術の説明］
従来、筒型のペンケースは、ほとんどが筒状の本体を寝かせた状態（横向き）で用いるものであり、立てて用いることができるものは少ない。
立てた状態で使用できるスタンドペンケースは、場所を取らず、狭いスペースでも使い勝手が良い。
【０００３】
［関連技術］
尚、関連する先行技術文献として、特許第６４９４８３６号公報「ペンケース」（特許文献１）、実用新案登録第３２１２２４３号公報「ペンケース」（特許文献２）がある。
特許文献１には、円筒状で、上部の蓋をファスナーで開閉し、使用時には底部の突出部を内側に押し上げることで、安定して立たせると共にペン等を取り出しやすくしたペンケースが記載されている。
また、特許文献２には、円筒状の本体の上部にねじ込みによって接合されるカバー部を備え、カバー部の上端部に収納部を設けたペンケースが記載されている。
【先行技術文献】
【特許文献】
【０００４】
【特許文献１】特許第６４９４８３６号公報
【特許文献２】実用新案登録第３２１２２４３号公報
【考案の概要】
【考案が解決しようとする課題】
【０００５】
しかしながら、特許文献１のペンケースのような従来のスタンドペンケースでは、鉛筆や定規等の長い文具（物品）については、上部の開口部から取り出す際に不具合はないものの、底付近にある消しゴム等の小さい物品を取り出すのは困難であるという問題点があった。
【０００６】
また、特許文献２のペンケースでは、小さい物品は本体とは別のカバー部に収納できるが、構成が複雑で、使用時には本体とカバー部とを分離するため場所を取るという問題点があった。
【０００７】
尚、特許文献１及び特許文献２には、筒型のスタンドペンケースにおいて、本体に、本体と蓋部の開口部を開閉する第１のファスナーと、第１のファスナーの端部を固定すると共に本体と蓋部を接続する接続部と、本体の側面で、接続部の下側に垂直方向に開閉する第２のファスナーとを備えた構成は記載されていない。
【０００８】
本考案は上記実状に鑑みて為されたものであり、簡易な構成で場所を取らず、立てた状態でも消しゴム等の小さい物品を容易に取り出すことができるスタンドペンケースを提供することを目的とする。
【課題を解決するための手段】
【０００９】
上記従来例の問題点を解決するための本考案は、筒型のスタンドペンケースであって、底面と、上部が開口する開口部とを有する円筒形の本体と、本体の開口部を覆い、開口部と同じ形状の開口部を下部に有する蓋部と、本体の開口部と蓋部の開口部を開閉する第１のファスナーと、第１のファスナーの端部を固定すると共に本体と蓋部を接続する接続部と、本体の側面で、接続部の下側に垂直方向に開閉する第２のファスナーとを備えることを特徴としている。
【００１０】
また、本考案は、上記スタンドペンケースにおいて、接続部が、第１のファスナーの両端部と、第２のファスナーの一端とを固定することを特徴としている。
【００１１】
また、本考案は、上記スタンドペンケースにおいて、第２のファスナーが、上から下に向かって開く構成であることを特徴としている。
【００１２】
また、本考案は、上記スタンドペンケースにおいて、第２のファスナーが、下から上に向かって開く構成であることを特徴としている。
【００１３】
また、本考案は、上記スタンドペンケースにおいて、接続部は、蓋部が、閉じた状態から９０度以上開く幅に形成されていることを特徴としている。
【考案の効果】
【００１４】
本考案によれば、筒型のスタンドペンケースであって、底面と、上部が開口する開口部とを有する円筒形の本体と、本体の開口部を覆い、開口部と同じ形状の開口部を下部に有する蓋部と、本体の開口部と蓋部の開口部を開閉する第１のファスナーと、第１のファスナーの端部を固定すると共に本体と蓋部を接続する接続部と、本体の側面で、接続部の下側に垂直方向に開閉する第２のファスナーとを備えるスタンドペンケースとしているので、簡易な構成で、立てた状態又は横倒しの状態のいずれでも用いることができ、立てた状態においても、第２のファスナーによって消しゴム等の小さい物品を容易に取り出すことができる効果がある。
【００１５】
また、本考案によれば、接続部が、第１のファスナーの両端部と、第２のファスナーの一端とを固定する上記スタンドペンケースとしているので、第１のファスナーによる開口箇所と第２のファスナーによる開口箇所が接続せず、第１及び第２のファスナーを開けた状態でも本体の上端が円形を保ち、本体は略円筒形状を保持して、安定して自立でき、収容物が飛び出るのを防ぎ、使い勝手を向上させる効果がある。
【図面の簡単な説明】
【００１６】
【図１】本スタンドペンケースの正面図である。
【図２】本スタンドペンケースの背面図である。
【図３】本スタンドペンケースの右側面図である。
【図４】本スタンドペンケースの平面図である。
【図５】本スタンドペンケースの底面図である。
【図６】本スタンドペンケースの蓋部を開けた状態を示す説明図である。
【考案を実施するための形態】
【００１７】
本考案の実施の形態について図面を参照しながら説明する。
［実施の形態の概要］
本考案の実施の形態に係るスタンドペンケース（本スタンドペンケース）は、筒型であり、上部が開口する円筒形状の本体と、本体の開口部を覆い、下部が開口する円筒形状の蓋部と、本体と蓋部の開口部同士を開閉可能に接続する第１のファスナーと、第１のファスナーの両端部を固定すると共に、本体と蓋部とを接続する接続部と、本体の側面において、接続部の下側から垂直方向に開閉する第２のファスナーとを備えたものであり、簡易な構成で、立てた状態でも第２のファスナーによって消しゴム等の小さい物品を容易に取り出すことができるものである。
【００１８】
また、本スタンドペンケースでは、第１のファスナーの両端と、第２のファスナーの一端が、接続部４によって固定されており、第１のファスナーによる開口箇所と第２のファスナーによる開口箇所が接続せず、両方のファスナーを開けた状態でも本体の上端が円形を保ち、本体は略円筒形状を保持して、安定して自立でき、使い勝手を向上させるものである。
【００１９】
［本スタンドペンケースの構成：図１〜図５］
本スタンドペンケースの構成について、図１〜図５を用いて説明する。図１は、本スタンドペンケースの正面図であり、図２は背面図、図３は右側面図、図４は平面図、図５は底面図である。
図１〜図５に示すように、本スタンドペンケースは、略円筒形状のペンケースであり、本体１と、蓋部２と、第１のファスナー３と、接続部４と、第２のファスナー５とを備えている。
【００２０】
本体１は、円形の底面１２と、側面１１とを備え、上部が開口した円筒形状の収納部である。
本体１の底面１２と側面１１の接続部分は、接続部の保護及び補強、底面の円形形状保持のために縁取り（パイピング）が施されている。
【００２１】
蓋部２は、円形の上面２２と、側面２１とを備え、下部が開口した円筒形状の蓋である。
蓋部２の上面２２と側面２１の接続部分にも、底面１２と同様に縁取りが施されている。
蓋部２の上下方向の長さ（円筒の高さ）は本体１よりも短く、本体１の１／４程度の長さに形成されている。
【００２２】
第１のファスナー３は、本体１と蓋部２の開口部同士を開閉可能に接続するラインファスナーである。第１のファスナー３は、２本のテープに互いに係合するエレメントが対向して一列に配置されており、一方のテープが本体１の上端の開口部円周上に取り付けられ、他方のテープが蓋部２の下端の開口部円周上に取り付けられている。
【００２３】
また、第１のファスナー３は、図２に示すように、長さ方向の両端部が接続部４に固定されている。つまり、第１のファスナー３は、一端が接続部４に固定され、テープ部分が本体１及び蓋部２の円筒形状の開口部外周に沿って接続部４を除く円周全体に取り付けられ、他端が接続部４に固定されている。
【００２４】
また、第１のファスナー３には、エレメントを開閉するスライダー３１が設けられ、更にスライダー３１には、紐状の引手３２が設けられている。引手３２を設けることにより、円弧を描くように開閉する第１のファスナー３を容易に開閉できるものである。
【００２５】
図２の状態は、第１のファスナー３が閉じた状態を示しており、この状態から引手３２を持って左回りにスライダー３１を動かすと、第１のファスナー３のエレメント同士の係合が外れ、接続部４を除いて蓋部２が本体１から分離して、開いた状態となる。
【００２６】
本スタンドペンケースは、第１のファスナー３を開けた状態で、本体１を立てて使用すると、机上等において場所を取らず便利である。また、本体１がペン立てとなるため、目的のペン等が見つけやすく、出し入れが容易である。
【００２７】
第２のファスナー５は、本体１の側面部分に設けられ、円筒の軸方向（上下方向）に沿って開閉するラインファスナーである。第２のファスナー５の一端は接続部４に固定され、他端は側面１１の底面近くに固定されている。
第２のファスナー５には、エレメントを開閉するスライダー５１が設けられている。
第２のファスナー５を設けることにより、本スタンドペンケースを横倒しにした横向きの状態でも使用しやすいものである。この場合には、第１のファスナー３を閉じて、第２のファスナー５のみを開けて使用してもよい。
【００２８】
また、スタンドペンケースを立てて使用する際には、消しゴム等の小さい物品は下の方に入ってしまうため、上部の開口部からは取り出しにくいが、本スタンドペンケースは、第２のファスナー５を設けることにより、消しゴム等の小さい物品を本体１の側面部分から取り出すことができ、使い勝手を向上させることができるものである。
【００２９】
更に、図２，３の例では、第２のファスナー５は上から下に向かってスライダー５１を移動して開けるように取り付けられているが、反対に下から上に向かって開けるように取り付けてもよい。
第２のファスナー５を下から開けるように構成した場合、ファスナーを少し開けただけでも、円筒形の底の部分に入っている小さい物品を取り出すことが可能となるものである。
【００３０】
更にまた、ここでは、第２のファスナーは、一端が接続部４によって固定されるよう、本体１の高さ方向の略全体に亘って設けられているが、小さい物品を取り出すことのみを目的とする場合には、底面１２に近い本体１の下側部分のみに第２のファスナーを設けてもよい。
【００３１】
また、本スタンドペンケースでは、第２のファスナー５による開口箇所は、第１のファスナー３による開口箇所と接続せず、本体１の側面が直線状に開口するだけであるため、第２のファスナー５を全開にしても本体１の開口部は元の円形形状を保っており、ペン等を安定して保持できるものである。また、保持したペン等が第２のファスナー５の開口箇所から飛び出ることも少ない。
【００３２】
接続部４は、本体１と蓋部２とを接続する部分であり、本体１の上端部において、本体１の側面と、第２のファスナー５の一端とを一緒に固定すると共に、第２のファスナー５に対向する蓋部２の下端部分に接続している。
更に、接続部４は、上述したように、本体１及び蓋部２の円筒形状の円周方向において、第１のファスナー３の長手方向の両端を、本体１の上端部及び蓋部２の下端部に固定している。
【００３３】
このように、接続部４が、第１のファスナー３の両端と第２のファスナー５の一端とを固定していることで、第１のファスナー３と第２のファスナー５を両方開けても、両方の開口部が接続しないものである。接続部４が、第１のファスナー３の両端と第２のファスナーの一端を固定するため、構成を簡易にすることができる。
仮に、水平方向に開く開口部と、垂直方向に開く開口部とが接続する構成とした場合には、両方のファスナーを開状態とすると、本体の側面が大きくＶ字型に開口することになり、収納したペン等が飛び出しやすくなる。
【００３４】
また、接続部４の幅（円周方向の長さ）は、第１のファスナー３を全開にした場合に、蓋部２が９０度以上、望ましくは１００度程度開くような幅としている。
また、接続部４は、蓋部２を開く際に外側に折れ曲がるよう、布等の柔軟な素材で形成されている。
【００３５】
［蓋部２を開けた状態：図６］
次に、蓋部２を開けた状態について図６を用いて説明する。図６は、本スタンドペンケースの蓋部２を開けた状態を示す説明図である。尚、図６では、本スタンドペンケースの上部のみを図示しており、下部は省略している。
【００３６】
図６に示すように、第１のファスナー３を全開にすると、本体１と蓋部２は、接続部４で接続された部分以外で分離する。
接続部４は、外側に折れ曲がり、これにより蓋部２は、接続部４を中心として、閉じた状態から約１００度程度開く。
このように、蓋部２が大きく開くことで、本スタンドペンケースを立てて使用する際に、蓋部２がペン等の出し入れの邪魔にならず、使い勝手がよい。
【００３７】
［実施の形態の効果］
本スタンドペンケースによれば、全体形状が筒型であり、上部が開口する円筒形状の本体１と、下部が開口する円筒形状で本体の開口部を覆う蓋部２と、本体１と蓋部２の開口部同士を開閉可能に接続する第１のファスナー３と、第１のファスナー３の両端部を固定すると共に、本体１と蓋部２とを接続する接続部４と、本体１の側面において、接続部４の下側で、垂直方向に開閉する第２のファスナー５とを備えたスタンドペンケースとしているので、簡易な構成で、立てた状態で第１のファスナー３を開くことでペン等の長い物品を取り出しやすくし、第２のファスナー５を開くことによって、立てた状態で消しゴム等の小さい物品を取り出しやすくすると共に、ペンケースを横向きの状態でも使用しやすい効果がある。
【００３８】
また、本スタンドペンケースによれば、接続部４が、水平方向において第１のファスナー３の両端部を固定すると共に、垂直方向において第２のファスナー５の一端を固定しているので、第１のファスナー３を開けた時の開口箇所と第２のファスナー５を開けた時の開口箇所が接続せず、両ファスナーを全開としても本体１は円筒形状を保持して、安定して自立でき、また、開口箇所から収容物が飛び出すのを防ぐことができる効果がある。
【産業上の利用可能性】
【００３９】
本考案は、簡易な構成で場所を取らず、立てた状態でも消しゴム等の小さい物品を容易に取り出すことができるスタンドペンケースに適している。
【符号の説明】
【００４０】
１…本体、  ２…蓋部、  ３…第１のファスナー、  ４…接続部、  ５…第２のファスナー、  １１，２１…側面、  １２…底面、  ２２…上面、  ３１，５１…スライダー、  ３２…引手
【図１】
0003230282.tif 000003
【図２】
0003230282.tif 000004
【図３】
0003230282.tif 000005
【図４】
0003230282.tif 000006
【図５】
0003230282.tif 000007
【図６】
0003230282.tif 000008